(57)【要約】【課題】畜産動物の糞尿を無臭化し、脱臭剤、吸着剤、肥料、生ゴミ処理剤等として有用な機能性物質を提供する。【解決手段】本発明の機能性物質は畜産動物の糞尿とおが屑の混合物の炭化直前物質よりなる。さらに、焙煎された米糠を混合したものも好ましい。米糠の炭化直前物質１に対して畜産動物の糞尿とおが屑の混合物の炭化直前物質２〜４重量部が加配・混合されてなるものが好ましい。製造は、畜産動物の糞尿とおが屑の混合物を中性又は還元雰囲気中で１８０〜５５０℃で仮焼して炭化直前物質を得ることにより行われる。【選択図】    図１
2004284858.tif 000002
【特許請求の範囲】
【請求項１】
畜産動物の糞尿とおが屑の混合物の炭化直前物質よりなることを特徴とする機能性物質。
【請求項２】
畜産動物の糞尿とおが屑と米糠の混合物の炭化直前物質よりなることを特徴とする機能性物質。
【請求項３】
米糠の炭化直前物質１に対して畜産動物の糞尿とおが屑の混合物の炭化直前物質２〜４重量部が加配・混合されてなることを特徴とする機能性物質。
【請求項４】
機能性物質が肥料であることを特徴とする請求項１〜３のいずれか１項に記載の肥料。
【請求項５】
機能性物質が脱臭剤であることを特徴とする請求項１〜３のいずれか１項に記載の脱臭剤。
【請求項６】
機能性物質が生ゴミを発酵させて分解・減容又は肥料化するための生ゴミ処理剤であることを特徴とする請求項１〜５のいずれか１項に記載の生ゴミ処理剤。
【請求項７】
畜産動物の糞尿とおが屑の混合物を中性又は還元雰囲気中で仮焼して炭化直前物質を得ることを特徴とする機能性物質の製造方法。
【請求項８】
畜産動物の糞尿とおが屑と米糠の混合物を中性又は還元雰囲気中で仮焼して炭化直前物質を得ることを特徴とする機能性物質の製造方法。
【請求項９】
仮焼温度が１８０〜５５０℃であることを特徴とする請求項７又は８に記載の機能性物質の製造方法。
【請求項１０】
仮焼方法が過熱水蒸気によることを特徴とする請求項７〜９のいずれか１項に記載の機能性物質の製造方法。
【発明の詳細な説明】
【０００１】
【発明の属する技術分野】本願発明は、畜産動物の糞尿の無臭化と有効利用に関し、特にその糞尿と難分解性の製材副産物のおが屑の組合せにより、脱臭剤、吸着剤、肥料、生ゴミ処理剤等として有用な機能性物質を提供する発明に関する。
【０００２】
【従来の技術及び発明が解決しようとする課題】養牛、養豚等畜産業における畜産動物の糞尿は、高ＢＯＤと易腐敗性及び強度の悪臭等を有するためその有効な処理が求められているが、無公害化処理が困難である。
また、製材時に副産するおが屑の有効利用も求められている。
この発明は、前記現状に鑑みて、これらの廃棄物を簡単な方法で処理して無害化し、かつ脱臭剤、吸着剤、肥料、生ゴミ処理剤等として有用な機能性物質を得ることを目的とするものである。
【０００３】
【課題を解決するための手段】本願発明は、上記従来技術の課題を下記構成により解決するものである。
（１）畜産動物の糞尿とおが屑の混合物の炭化直前物質よりなることを特徴とする機能性物質。
（２）畜産動物の糞尿とおが屑と米糠の混合物の炭化直前物質よりなることを特徴とする機能性物質。
（３）米糠の炭化直前物質１に対して畜産動物の糞尿とおが屑の混合物の炭化直前物質２〜４重量部が加配・混合されてなることを特徴とする機能性物質。
（４）機能性物質が肥料であることを特徴とする前記（１）〜（３）のいずれか１項に記載の肥料。
（５）機能性物質が脱臭剤であることを特徴とする（１）〜（３）のいずれか１項に記載の脱臭剤。
（６）機能性物質が生ゴミを発酵させて分解・減容又は肥料化するための生ゴミ処理剤であることを特徴とする（１）〜（５）のいずれか１項に記載の生ゴミ処理剤。
（７）畜産動物の糞尿とおが屑の混合物を中性又は還元雰囲気中で仮焼して炭化直前物質を得ることを特徴とする機能性物質の製造方法。
（８）畜産動物の糞尿とおが屑と米糠の混合物を中性又は還元雰囲気中で仮焼して炭化直前物質を得ることを特徴とする機能性物質の製造方法。
（９）仮焼温度が１８０〜５５０℃であることを特徴とする前記（７）又は（８）に記載の機能性物質の製造方法。
（１０）仮焼方法が過熱水蒸気によることを特徴とする前記（７）〜（９）のいずれか１項に記載の機能性物質の製造方法。
【０００４】
【発明の実施の形態】本願発明の実施の形態を図面に基づいて説明する。
本願発明の機能性物質は、下記方法によって製造される。
すなわち、（１）畜産動物の糞尿とおが屑の混合物、又は（２）畜産動物の糞尿とおが屑と米糠の混合物を、中性又は還元雰囲気中で１８０〜５５０℃で仮焼し、好ましくはさらに例えば水蒸気等賦活ガスをあてて賦活化することにより得られる。
【０００５】
図１は、本願発明の製造方法の工程を示す説明図である。
（１）  ［  糞尿＋おが屑］⇒  仮焼（中性又は還元雰囲気で１８０〜５５０℃）⇒徐冷⇒機能性物質（Ａ）
（２）  ［  糞尿＋おが屑］⇒  仮焼（中性又は還元雰囲気で１８０〜５５０℃）⇒徐冷⇒機能性物質（Ａ）＋米糠（焙煎した茶色のもの）⇒機能性物質（Ｂ）
糞尿としては、通常牛、豚等の畜産動物のものが使用され、糞と尿の比率は１：０．１〜０．３（重量比）程度である。
すなわち、糞尿は持ち上げた場合、液分が流下しない程度のものとし、それにおが屑を加配、混合するのである。
糞尿とおが屑の混合割合は、１．０：０．２〜５．０（容量比）が好ましい。
おが屑が０．２より少ないと空隙部が少なくなって内部まで加熱が進みにくく、また５．０を越えると相対的に糞尿の消費量が少なくなって効率的でなく、かつ仮焼製品を肥料とした場合、窒素及びリンの含有量が少ない製品となってしまう。
【０００６】
上記の糞尿とおが屑の混合物を、例えばロータリキルンに投入し、中性又は還元雰囲気中で１８０〜５５０℃の範囲、好ましくは２２０〜４００℃の範囲内で仮焼して、完全炭化までは至らない状態（黒色化直前で少し黒みを帯びる状態）の炭化直前物質を得る。
また、仮焼方法としてはマイクロ波照射による誘電加熱を利用してもよく、さらに高周波誘導加熱を利用して加熱してもよい。
該炭化直前物質は、吸着活性・脱色活性・食品等の有機物分解活性等を有していて、脱臭剤、脱色剤、廃棄食品分解剤等として有用であり、かつ窒素、リン及びカリの植物生長の三要素等を十分に含有していて肥料としても有用である。
なお、上記仮焼した炭化直前物質の活性を増大せしめるには、得られた炭化直前物質に炉内において過熱水蒸気をあてて賦活化してもよく、又は上記糞尿とおが屑の混合物に直接１８０〜５５０℃の過熱水蒸気をあてて仮焼してもよい。
【０００７】
さらにまた、上記炭化直前物質に米糠の焙煎物を加配したもの（機能性物質（Ｂ））は、廃棄食品分解剤として特に好ましいものであるが、その配合比は米糠の炭化直前物質（焙煎物）１に対して畜産動物の糞尿とおが屑の混合物の炭化直前物質２〜４（重量部）、特に３（重量部）前後を加配したものが好ましい。
【０００８】
【実施例】本願発明の実施例を以下に説明する。
家畜小屋（牛小屋又は豚小屋）から排出された糞尿８ｋｇにおが屑２ｋｇを加えて撹拌混合したもの１０ｋｇをロータリキルンに投入して、１８０〜５５０℃で炭化直前（黒色化直前で少し黒みを帯びる状態の温度）で４０分間加熱した後、徐冷して約７ｋｇの本願発明の機能性物質（Ａ）を取得した。
【０００９】
得られた機能性物質（Ａ）１ｋｇに、焙煎した米糠０．３ｋｇを加配混合して、生ゴミ分解剤（機能性物質（Ｂ））を製造し、図２にその断面図を示すごとく、ポリバケツ３中の生ゴミ１層の上に生ゴミ分解剤（機能性物質（Ｂ））２層を積層状態で積層し、さらに最上部に生ゴミ分解剤２を積層し、生ゴミ分解剤の加配百分率≒１０％とし、蓋４をして放置したところ、３分間経過後以降には、悪臭の９７％以上が除去され、また減容率は１０日後で３５％、２０日後で６０％、３０日後で８０％であった。よって、上記焙煎米糠を加配したものは生ゴミ分解剤として有用であることが解った。
なお、符号５は堆肥（未だ少し発酵中）である。なお、ポリバケツ３中に投入・積層する生ゴミ１と生ゴミ分解剤２との投入・積層量は、生ゴミ（１）１．５ｋｇ〜２．０ｋｇの層の上に生ゴミ分解剤（２）０．１ｋｇを積層することにより行った。
さらに、上記生ゴミを生ゴミ分解剤で分解・減容して得られたものは肥料として有用なものであることが解った。すなわち、その分解・減容して得られたものは（１）窒素全量２．３％、リン酸全量６．６％、カリ全量４．９％、（なお、炭素窒素比＝１２．６）を含むもの（肥料）であって、その肥料を３３％加配した土に、小松菜の種をまき１０日後の生長度合いを観察したところ、肥料を加配しない単なる土に小松菜の種をまき１０日後のものに比べて、２倍程度の生長度（背丈が約２倍）を示した。
【００１０】
上記のごとく、生ゴミ約１０ｋｇに本願発明の機能性物質（Ｂ）１〜２ｋｇを振りかけるか、又は投入・撹拌することにより瞬時的に消臭効果が発現する。
これを撹拌しながら約３０〜４０日間放置することによりゴミ等の発酵温度は３０〜５０℃に達するが、本願発明の機能性物質中には発酵・分解に寄与すると思われる各種微生物が存在し、それにより完全に肥料化（堆肥化）が可能となる。
なお、本願発明の機能性物質の使用においては、好気性分解菌、放線菌、糸状菌等の微生物が見出され。さらに、生成した堆肥中に、無数のミミズが発生し、環境への好影響が期待された。
また、生ゴミ中に発酵ないし分解に係わる特定菌（好熱性放線菌他）が見出されることから本願発明の機能性物質は生ゴミ中の菌類と相俟って発酵・分解に大きく寄与するものと考えられる。
【００１１】
【発明の効果】本願発明によれば、畜産動物の糞尿を無臭化でき、かつ脱臭剤、吸着剤、肥料、生ゴミ処理剤等として有用な機能性物質を提供することができる。
【図面の簡単な説明】
【図１】本願発明の製造方法の工程を示す説明図である。
【図２】実施例におけるポリバケツ中の生ゴミと本願発明の機能性物質の積層状態を示す断面図である。
【符号の説明】
１：生ゴミ、
２：生ゴミ分解剤（機能性物質（Ｂ））
３：ポリバケツ、
４：蓋、
５：堆肥、
【図１】
2004284858.tif 000003
【図２】
2004284858.tif 000004